(57)【特許請求の範囲】
【請求項１】
底板の両端に一対の側板を，また側板の両端に一対以上の取り付け耳部を設けた折り曲げ状の複数の取り付け部材と，該複数の取り付け部材の夫々に対応する複数の化粧カバーと，少なくとも前記複数の取り付け部材の一つには，主幹ブレーカと複数の分岐ブレーカと各ブレーカ間の電気接続導体とを含み，それらの機器の充電部の前面を覆い各ブレーカの操作ハンドルを露出する中カバーを取り付けるとともに，化粧カバーには中カバーから露出するハンドルを操作できる開口を有し，前記複数の取り付け部材は夫々の底板と側板の縁側同士を付き合わせるように連続して設置し，壁面の開口内に前記取り付け部材の底板と側板部分を埋め込んで取り付け，固定したことを特徴とする埋め込み形分電盤ユニット。
【請求項２】
底板の両端に一対の側板を，また側板の両端に一対以上の取り付け耳部を設けた折り曲げ状の複数の取り付け部材と，少なくとも該複数の取り付け部材の一つには，主幹ブレーカと複数の分岐ブレーカと各ブレーカ間の電気接続導体とを含み，それぞれの機器の充電部の前面を覆い各ブレーカの操作ハンドルを露出する中カバーを取り付けるとともに，前記複数の取り付け部材は夫々の底板と側板の縁同士を付き合わせて連続して設置し，壁面の開口に前記取り付け部材の底板と側板部分を埋め込んで固定し，壁面開口の前面を覆い，前記中カバーを露出する開口を有する一つの化粧カバーを備えたことを特徴とする埋め込み形分電盤ユニット。
【請求項３】
前記取り付け部材の夫々を突き合わせる方向の寸法は任意の単位寸法の整数倍であることを特徴とする請求項１または２の埋め込み形分電盤ユニット。
【請求項４】
前記中カバーの取り付け部材を突き合わせる方向の寸法は，対応する取り付け部材の寸法と同一であることを特徴とする請求項２の埋め込み形分電盤ユニット。
【請求項５】
前記化粧カバーの中カバーを露出する開口の取り付け部材を突き合わせる方向の内寸は前記任意の単位寸法の整数倍であることを特徴とする請求項２および３および４の埋め込み形分電盤ユニット。
【請求項６】
前記取り付け部材の側板には電線挿入孔または切り欠き，またはノックアウトを有することを特徴とする請求項１ないし５の埋め込み形分電盤ユニット。
【請求項７】
前記取り付け部材の底板にはセパレータ部材を装着したことを特徴とする請求項１ないし６のいずれかの埋め込み形分電盤ユニット。
【請求項８】
前記壁面開口は縦長の長方形状で複数の取り付け部材は縦方向に突き合わせて連続して設置したことを特徴とする請求項１ないし７のいずれかの埋め込み形分電盤ユニット。
【請求項９】
前記複数の分岐ブレーカは一列配置であって，各ブレーカの電線接続側端子は取り付け部材の片方の側板側に並んで配されることを特徴とする請求項１ないし８のいずれかの埋め込み形分電盤ユニット。
【請求項１０】
前記壁面開口は，天井面近傍から床面近傍まで至る縦長状であることを特徴とする請求項１ないし９のいずれかの埋め込み形分電盤ユニット。
【請求項１１】
前記壁面開口は，天井面から床面まで至る縦長状であることを特徴とする請求項１ないし９のいずれかの埋め込み形分電盤ユニット。
【請求項１２】
前記化粧カバーは扉を有するものであることを特徴とする請求項１ないし１１いずれかの埋め込み形分電盤ユニット。
【発明の詳細な説明】
【０００１】
【発明の属する技術分野】
本件の発明は，埋め込み形で一つの分電盤に他の機器を組み合わせた分電盤ユニットに関する。
【０００２】
【従来の技術】
従来，分電盤は，図１のようなものが知られている。
【０００３】
図１に示す分電盤は，ボックス１と，内部機器２と，内部機器を覆う中蓋３と扉を含むカバー４とで構成されていた。内部機器２は主幹ブレーカ５と複数の分岐ブレーカ６と各ブレーカ間の接続導体７と，それらを取り付ける取り付け板８により構成され，場合によっては図のようにＴＶや電話など通信系の機器取り付けスペース９も含んでいた。ボックス１は底部１０１，側部１０２により内部機器の側面と背面を覆い，適宜電線貫通孔１０３が設けられていた。
【０００４】
図１に示す分電盤は次のように設置工事が行われる。まず，壁面建築工事が中ほどまで進んだ頃を見計らって電気配線工事すなわち電線の壁面引き回し工事がおこなわれる。その際，壁面に前記ボックス１が埋め込んで取り付けられ，ボックスに対して接続電線が引き込まれる。次に壁面内装ボードの貼り付け工事がおこなわれ，その工事が完了後，内器２がボックス１に対して取り付けられ，電線がブレーカやその他の機器に接続され，中蓋３が取り付けられる。最後にカバー４が取り付けられる。
【０００５】
【発明が解決しようとする課題】
しかし，オール電化住宅の普及など，近年，屋内における電気使用量は増大の一途を辿り，分岐回路数と主幹ブレーカの容量の増大で分電盤は大型化している。さらに高容量の電気機器の増大により分電盤は電灯コンセント用の１種類のみならず配線式や電気容量など種類の異なる第二の分電盤の設置が望まれたり，ＴＶや電話回線など情報系の機器を設置するスペースを内蔵する要望があるなど，要望は多岐に渡り，それらを一つのボックス内に収納するなど，要望に答えていくためには様々な種類の寸法の大型ボックスが必要となるが，片やコストは低下が望まれ，相反した要望に答えていく必要があった。
【０００６】
さらに，住宅内の設置スペースも制約を受け，従来は台所や脱衣場など僅かなスペースに目立たないよう設置されていたが，分電盤ボックスの大型化により，そのような小さいスペースには設置できなくなって廊下や部屋内など大きな壁面の目立つ位置に取り付けざるを得なくなり，外観のデザイン的な改善も望まれている。
【０００７】
そこで，本件の発明は，第一にさまざまな種類の仕様要望に即座に対応でき，第二に工事がしやすく，第三に外観のよい埋め込み形分電盤ユニットを提供することを課題としている。
【０００８】
【課題を解決するための手段および作用】
そこで請求項１では，底板の両端に一対の側板を，また側板の両端に一対以上の取り付け耳部を設けた折り曲げ状の複数の取り付け部材と，該複数の取り付け部材の夫々に対応する複数の化粧カバーと，少なくとも前記複数の取り付け部材の一つには，主幹ブレーカと複数の分岐ブレーカと各ブレーカ間の電気接続導体とを含み，それらの機器の充電部の前面を覆い各ブレーカの操作ハンドルを露出する中カバーを取り付けるとともに，化粧カバーには中カバーから露出するハンドルを操作できる開口を有し，前記複数の取り付け部材は夫々の底板と側板の縁側同士を付き合わせるように連続して設置し，壁面の開口内に前記取り付け部材の底板と側板部分を埋め込んで取り付け，固定したことを特徴とする埋め込み形分電盤ユニットを提供したものである。
【０００９】
また，請求項２では，底板の両端に一対の側板を，また側板の両端に一対以上の取り付け耳部を設けた折り曲げ状の複数の取り付け部材と，少なくとも該複数の取り付け部材の一つには，主幹ブレーカと複数の分岐ブレーカと各ブレーカ間の電気接続導体とを含み，それぞれの機器の充電部の前面を覆い各ブレーカの操作ハンドルを露出する中カバーを取り付けるとともに，前記複数の取り付け部材は夫々の底板と側板の縁同士を付き合わせて連続して設置し，壁面の開口に前記取り付け部材の底板と側板部分を埋め込んで固定し，壁面開口の前面を覆い，前記中カバーを露出する開口を有する一つの化粧カバーを備えたことを特徴とする埋め込み形分電盤ユニットを提供したものである。
【００１０】
それにより，分電盤やその他の機器ユニットを機能毎に組み合わせて使用することで顧客の要望に対して即座に対応可能な埋め込み形の分電盤ユニットを構成できる。
【００１１】
請求項３では，前記取り付け部材の夫々を突き合わせる方向の寸法は任意の単位寸法の整数倍であることを特徴とする請求項１または２の埋め込み形分電盤ユニットを提供したものである。
【００１２】
請求項４では，前記中カバーの取り付け部材を突き合わせる方向の寸法は，対応する取り付け部材の寸法と同一であることを特徴とする請求項２の埋め込み形分電盤ユニットを提供したものである。
【００１３】
請求項５では，前記化粧カバーの中カバーを露出する開口の取り付け部材を突き合わせる方向の内寸は前記任意の単位寸法の整数倍であることを特徴とする請求項２および３および４の埋め込み形分電盤ユニットを提供したものである。
【００１４】
それにより，各取り付け部材毎のユニットを組み合わせたときの寸法を規格・標準化して，取り付け部材や，化粧カバーの種類を削減できる。
【００１５】
請求項６では，前記取り付け部材の側板には電線挿入孔または切り欠き，またはノックアウトを有することを特徴とする請求項１ないし５の埋め込み形分電盤ユニットを提供したものである。
【００１６】
請求項７では，前記取り付け部材の底板にはセパレータ部材を装着したことを特徴とする請求項１ないし６のいずれかの埋め込み形分電盤ユニットを提供したものである。
【００１７】
それにより，各機器ユニットへの，配線の引き回し作業性がよくなる。
【００１８】
請求項８では，前記壁面開口は縦長の長方形状で複数の取り付け部材は縦方向に突き合わせて連続して設置したことを特徴とする請求項１ないし７のいずれかの埋め込み形分電盤ユニットを提供したものである。
【００１９】
それにより，複数のユニットを要望に応じて組み合わせて縦長に配置して構成でき，且つ配線がしやすく，外観がよい。
【００２０】
請求項９では，前記複数の分岐ブレーカは一列配置であって，各ブレーカの電線接続側端子は取り付け部材の片方の側板側に並んで配されることを特徴とする請求項１ないし８のいずれかの埋め込み形分電盤ユニットを提供したものである。
【００２１】
それにより，ユニットの巾をせまくできて外観がよく，且つ配線がしやすい。
【００２２】
請求項１０は，前記壁面開口は，天井面近傍から床面近傍まで至る縦長状であることを特徴とする請求項１ないし９のいずれかの埋め込み形分電盤ユニットを提供したものである。
【００２３】
請求項１１では，前記壁面開口は，天井面から床面まで至る縦長状であることを特徴とする請求項１ないし９のいずれかの埋め込み形分電盤ユニットを提供したものである。
【００２４】
請求項１２では，前記化粧カバーは扉を有するものであることを特徴とする請求項１ないし１１いずれかの埋め込み形分電盤ユニットを提供したものである。
【００２５】
それにより，大壁に分電盤ユニットを設置しても，外観がよい。
【００２６】
【発明の実施の形態】
以下に図面を用いて，本件の発明を詳細に説明する。
【００２７】
図２は，本件発明請求項１の実施例の図である。図２において１２と１８は取り付け部材であって，それぞれ，底板１２０１と１８０１を有し，底板の両端に一対の側板１２０２，１８０２を有し，側板の両端にはさらに夫々一対以上の取り付け耳部１２０３，１８０３を有している。取り付け部材１２と１８は夫々の底板１２０１と１８０１，側板１２０２と１８０２が連接するように並設されて，壁面開口１１に収納され，取り付け耳部１２０３，１８０３で壁面に固定される。
【００２８】
一方の取り付け部材１２には，主幹ブレーカ１３，複数の分岐ブレーカ１５，各ブレーカ間の電気接続導体１４が取り付けられ，さらにその前面は，各ブレーカの操作ハンドルを露出する孔１６０１，１６０２を有する中カバー１６で覆われている。中カバー１６は取り付け部材１２の図示しない支持部に着脱状または蝶着状に取り付けられる。
【００２９】
他方の取り付け部材１８には，機器取り付け部１８０４が設けられ，例えばＴＶや電話の中継器などの弱電系機器や，照明や空調の制御機器などが取り付けられる。弱電系機器の場合には接触による人体への危険はないので，中カバーは不用であるが，強電の制御機器の場合には１６のような図示しない中カバーが取り付けられる。
【００３０】
各取り付け部材１２および，１８の折り曲げ稜線方向（図の縦方向）の寸法は任意の単位寸法Ｘ（例えば１００ｍｍ）の整数倍としてある。各取り付け部材１２と１８には夫々対応する化粧カバー１７，１９を有している。化粧カバー１７と１９の図の縦方向寸法は，対応する取り付け部材と同一の寸法関係となっている。したがって取り付け部材毎のユニットをいくらふやしても対応する化粧カバーを用意していけば，要望に応じてどのようなユニットの組み合わせでも対応可能となる。また，化粧カバー１７には中カバー１６を露出する開口１７０１を有している。
【００３１】
また，壁面開口は，化粧カバー１２と１８を合わせた縦寸法より大きいので，隙間隠し専用の化粧カバー２０を有している。各化粧カバー１７，１９，２０の横方向の寸法は，同一としてあり，設置した際の両端のラインが揃うよう配慮してある。
【００３２】
取り付け部材１２の側板１２０２には，電線引き込み用の切り欠き１２０４や孔１２０５が設けられている。１２０４や１２０５はノックアウトであってもよい。取り付け部材１８も同様である。また，夫々の取り付け部材の二つの側板と底板の縁形成される２箇所の開口には，仕切部材２２を差し込みやねじ止めで後付けできるようにしている。仕切部材２２には，配線挿入孔もしくはノックアウト２２０１，２２０２が設けられる。
【００３３】
図３は請求項２の実施例である。図２の例と異なるところは，中カバー２４，２５の縦寸法が取り付け部材１２，２２の縦寸法と同一に設定されており，化粧カバー２６が各取り付け部材間にまたがって一体化されていることである。化粧カバーの開口２６０１の縦寸法は，取り付け部材１２と２２の縦寸法を合わせた寸法としてあり，また，横方向の寸法は中カバー２４と２５の横方向の寸法に揃えてある。したがって取り付け部材の縦方向の寸法は任意の単位寸法Ｘの整数倍としてあるから，化粧カバー２６は前述の任意の単位寸法Ｘの整数倍として考えられる範囲の種類をそろえておけば，ユニットの機能に関わりなく，多種類の取り付け部材を用いる組み合わせでも中カバーを露出させることが可能な化粧カバーが見つかることとなって規格寸法化できるので，化粧カバーの種類を減らすことが可能となる。
【００３４】
図４から図６は，上述の取り付け部材と各機器を壁面に取り付けて配線した様子を示した図である。図４から図６において，２７と２８は開口１１を有する壁面ボード２９により覆われた内部の支柱であり，開口１１は二つの支柱の間に配されている。図４は，取り付け部材１２に設置される主幹ブレーカ１３の接続電線３０を取り付け部材１２の上部開口側から，複数の分岐ブレーカ１５の接続電線３１を側板１２０２の切り欠きあるいは孔１２０４，１２０５から取り付け部材１２の内部に引き込んで接続し，その他の機器３２の電線やケーブル３３を取り付け部材１８の側板１８０２の切り欠きまたは孔１８０４，１８０５から引き込んで機器に接続した例である。この例において，２２Ｂは，取り付け部材１２あるいは１８に取り付けられる後付けの仕切部材であり，１２側と１８側の機器のセパレータとして機能している。また２２Ａは取り付け部材１２の上部側の開口を塞ぐ目的で後付けした仕切部材であり，より安全的には取り付けることが望ましいが，なくても差し支えない。
２２Ｃの側板部材は，機器３２が弱電系機器の場合不要であるが，塵埃が気になる場合などは取り付けて差し支えない。
【００３５】
図４のような配線例の場合，支柱２８と取り付け部材１２および１８の側板１２０２，１８０２間の壁面ボード２９内部空間ｇを電線３１やケーブル３３の引き回しや曲げのスペースとして有効に活用できる効果がある。むろん主幹ブレーカ１３の接続電線も側板１２０２の孔から内部に引き込むことが可能である。
【００３６】
図５に示す例は，ブレーカや機器に接続する電線やケーブルを取り付け部材１２の上側の開口から引き込んだ例である。この例では，機器３２は弱電系機器であり，ケーブル３３も弱電ケーブルである場合を示しており，取り付け部材１２の内部には，後付けのセパレータ３４が取り付けられていて，弱電ケーブル３３と強電機器部を区画し，見た目の整理をしやすくするとともに，安全面での配慮をおこなっている。この例は支柱２７と２８の間隔が狭い場合に有効である。
【００３７】
図６に示す例は，主幹ブレーカと分岐ブレーカの接続電線３０，３１は取り付け部材１２の上側開口から，機器３２の接続ケーブル３３は取り付け部材１８の側板１８０２の孔や切り欠き１８０４，１８０５から引き込んだ例であり，この場合では，ケーブルは取り付け部材の側板１２０２，１８０２と支柱２８間のスペースｇを通ることとなって，図５のセパレータ３４の機能を取り付け部材１２の側板１２０２が有効に代替えしている。
【００３８】
いずれの例においても，複数の分岐ブレーカ１５は，縦方向に一列で，且つ，電線接続端子側を一方の側板側（図では右側）に集中して設置してあるので，主幹ブレーカから左側のスペースは不要となって，取り付け部材の図の横方向の寸法を小さくでき，支柱２７，２８の間隔が小さくても設置可能となる。また取り付け部材内への電線引き込みや分岐ブレーカへの電線接続も片側（図では右側）から集中しておこなえて作業性がよい。
【００３９】
図７は，壁面開口３５を天井面３６近傍から床面３７近傍まで長くし，３８，３９，４０の取り付け部材や機器，化粧カバーから成る３つのユニットを取り付ける場合の例である。このような３つのユニットを要する例では，第一のユニット３８はＴＶや電話中継器などの弱電系機器，第二のユニット３９は電灯やコンセント用の第一の分電盤，第三のユニット４０は暖房や大型電気機器など用の第二の分電盤を設置する場合などが考えられるが，顧客の要望により，様々の種類の機器ユニットを縦に配列してコンパクトに収納することができ，そのときの各ユニットへの電線の引き込みや引き回しも，図４から図６で説明したように，取り付け部材の内部や，取り付け部材の側板と支柱の間の壁面内空間を利用して自在におこなえるので非常に楽におこなえる。
【００４０】
また，仕上がり外観は図８に示すように天井から床面近くまで縦に長い柱状の露出物となって非常にスマートに見えるとともに天井や床面との外観的ななじみがよく，電気機器収納ボックスという機械的なイメージでなく，柱や家具などインテリアの一部的なイメージとなって，廊下や居室などの大壁に設置されても違和感のないデザインとできる。さらに化粧カバーの表面を木目や皮など柔らかい質感とすればより一層インテリア的なイメージに仕上げることが可能となる。
【００４１】
図９は，壁面開口４１を天井面３６から床面３７に至るまで一杯に開口した場合の例であり，図１０はその化粧カバーの仕上がりをイメージした図である。このようにすれば，支柱２７と２８を利用して，壁面ボードを天井から床面まで全てを開口できるので，簡単に壁面開口を得ることができて，壁面工事がさらに簡素化され，電線の開口への引き込み工事も非常に楽になる。
【００４２】
【発明の効果】
以上のように，本件の発明によれば，第一にさまざまな種類の仕様要望に即座に対応でき，第二に工事がしやすく，第三に外観のよい埋め込み形分電盤ユニットを提供することができるという効果を有する。
【図面の簡単な説明】
【図１】従来の分電盤の構成例
【図２】本件発明による分電盤ユニットの構成図その一
【図３】本件発明による分電盤ユニットの構成図その二
【図４】本件発明による分電盤ユニットへの配線例１
【図５】本件発明による分電盤ユニットへの配線例２
【図６】本件発明による分電盤ユニットへの配線例３
【図７】本件発明による分電盤ユニットの構成図その三
【図８】図７の分電盤ユニットの仕上がり外観図例
【図９】本件発明による分電盤ユニットの構成図その四
【図１０】図９による分電盤ユニットの仕上がり外観図例
【符号の説明】
１１，３５，４１・・壁面開口
１２，１８，２３・・取り付け部材
１３・・主幹ブレーカ
１４・・電気接続導体
１５・・分岐ブレーカ
１６，２４，２５・・中カバー
１７，１９，２６・・化粧カバー
２０・・開口覆い専用化粧カバー
２２・・仕切部材
３４・・セパレータ
【図１】
0004494608.tif 000002
【図２】
0004494608.tif 000003
【図３】
0004494608.tif 000004
【図４】
0004494608.tif 000005
【図５】
0004494608.tif 000006
【図６】
0004494608.tif 000007
【図７】
0004494608.tif 000008
【図８】
0004494608.tif 000009
【図９】
0004494608.tif 000010
【図１０】
0004494608.tif 000011